(57)【要約】【課題】トルクレンチに対する装着構造を簡単な構造とすることにより複数のレンチヘッドを装着する際のコスト上昇を防止し、かつ、作業状態に対応したレンチヘッドの向きを容易に設定することにより労力負担を低減できる構成を備えたパイプレンチを提供する。【解決手段】トルクレンチ２の先端に装着されてパイプを把持可能な構成を有するレンチヘッド１とを備えたレンチにおいて、レンチヘッド１は、トルクレンチ２に装着される側の端部にトルクレンチ２の先端部が挿嵌可能な凹部１Ａが形成され、凹部１Ａにはトルクレンチ２側の先端部との間が係脱可能な構造２Ａとされていることを特徴とする。【選択図】　　図３
2004017246.tif 000002
【特許請求の範囲】
【請求項１】
締め付け力をプリセット可能な構成を備えたトルクレンチと、トルクレンチの先端に装着されてパイプを把持可能な構成を有するレンチヘッドとを備えたレンチにおいて、
上記レンチヘッドは、上記トルクレンチに装着される側の端部に上記トルクレンチの先端部が挿嵌可能な凹部が形成され、該凹部の周辺部には上記トルクレンチ側の先端部との間が係脱可能な構造とされていることを特徴とするパイプレンチ。
【請求項２】
請求項１記載のレンチにおいて、
上記トルクレンチの先端部には、周方向に係合凹部が形成され、該係合凹部には、上記レンチヘッド側から係止部材が係合されて両者の抜け止めが行われる構成であることを特徴とするパイプレンチ。
【請求項３】
請求項１または２記載のパイプレンチにおいて、
上記レンチヘッドにおける凹部に対応する外周部には、ネジ噛み合い部が設けられ、該ネジ噛み合い部にねじ込まれたネジの先端が上記トルクレンチ先端部の係合凹部に進入する構成であることを特徴とするパイプレンチ。
【請求項４】
請求項１または２記載のパイプレンチにおいて、
上記レンチヘッドにおける凹部に対応する外周部には、上記トルクレンチ先端部の係合凹部を外部に露呈可能なスリットが形成され、該スリット近傍には該スリットを通過して上記係合凹部に進入する方向に揺動付勢されている係止爪が設けられていることを特徴とするパイプレンチ。
【発明の詳細な説明】
【０００１】
【発明の属する技術分野】
本発明は、パイプレンチに関し、さらに詳しくは作業姿勢に応じた操作が可能なレンチヘッドに関する。
【０００２】
【従来の技術】
対象部材を把持して回転操作する工具の一つにレンチがある。例えば、管材（以下、パイプと表現する）を把持して回転操作するような場合にはパイプを挟持することができるパイプレンチが知られている。
通常、パイプレンチは、使用口径に対応するものが種類毎に準備されて用いられる、締め付けの際の締め付けトルクも口径に対応した値が要求されるが、締め付け力は作業者の経験や勘に頼っているのが現状である。このため、使用口径に対応したトルクを正確に設定する作業は容易でなく、締め付け力不足に陥ると、パイプ内からの漏洩などを引き起こす虞がある。
【０００３】
従来、締め付け力を誰でも容易に設定できるようにする目的で、予め必要とされる締め付けトルクをレンチ側で設定しておき、その締め付けトルクに達した場合にそれまで作用させていた回転力を変化させたり触感を変化させる用にしたトルクレンチが知られている（例えば、特開平８−９０４４１号公報）。
【０００４】
一方、上述したパイプレンチを用いる作業態位には、レンチヘッドをパイプに対して水平方向に差し入れて把持したり垂直方向に差し入れて把持するような場合があり、これら各態位は、パイプの設置箇所の形態、つまり、埋設されている場合や地上に露出している場合さらには、周辺部からの障害などによって決められる。
また、パイプの締め付け時には、口径の違いに応じた締め付け力が必要となり、このため、要求される締め付けトルクが得られるハンドル部分の長さを持つ構造のパイプレンチが市場に提供されている。このため、パイプの締め付け作業を行う場合には、締め付けトルクの管理が行えることと、作業姿勢に対応するレンチ構造が必要となり、作業現場に出かける際には、口径および作業姿勢に対応するトルクレンチを準備することが多い。
【０００５】
近年、準備するパイプレンチの数が多くなることによるコスト上昇や作業コストの上昇を抑えることが要望されてきており、この要望に対して、既存のスパナやボックスレンチあるいはパイプレンチを一つのトルクレンチのレンチヘッド部に置き換えて装着するようにして一つのトルクレンチで作業を済ませるようにできる構成が提案されている（例えば、特開平７−１０８４６８号公報、特開平７−１０８４６９号公報）。
これら公報には、トルクレンチ本体内に装填されているスプリングにより弾性付勢されているスラスタに対してトグルリンクにより連結されているレンチヘッドにアダプタを装着し、このアダプタに既存のスパナやボックスレンチあるいはパイプレンチを取り付けるようにした構成が開示されている。
【０００６】
【発明が解決しようとする課題】
上記公報に開示されている構成では、既存の工具を共通のトルクレンチに適用できることにより、パイプレンチ等の工具の準備数を低減できる反面、アダプタ自体はこれに装着される工具に合わせた構造が必要となるために、これらを複数準備することが必要となり、これがコスト上昇の原因となる。しかも、アダプタに装着された工具は、アダプタ内に装備されている把持機構により把持されるようになっているため、装着された際の作業部の向きが固定されてしまい、例えば、作業箇所の形態によって、工具におけるパイプの把持面の向きを変更することができない。このため、無理な姿勢あるいは態位によって作業を行うことを強いられてしまい、結果として作業時での労力負担が増加することになる。
【０００７】
本発明の目的は、作業内容に応じて変更されるレンチヘッドが装着されるトルクレンチを共用化する際における問題に鑑み、トルクレンチに対する装着構造を簡単な構造とすることにより複数のレンチヘッドを装着する際のコスト上昇を防止し、かつ、作業状態に対応したレンチヘッドの向きを容易に設定することにより労力負担を低減できる構成を備えたパイプレンチを提供することにある。
【０００８】
【課題を解決するための手段】
請求項１記記載の発明は、締め付け力をプリセット可能な構成を備えたトルクレンチと、トルクレンチの先端に装着されてパイプを把持可能な構成を有するレンチヘッドとを備えたレンチにおいて、上記レンチヘッドは、上記トルクレンチに装着される側の端部に上記トルクレンチの先端部が挿嵌可能な凹部が形成され、該凹部の周辺部には上記トルクレンチ側の先端部との間が係脱可能な構造とされていることを特徴としている。
【０００９】
請求項２記載の発明は、請求項１記載の発明に加えて、上記トルクレンチの先端部には、周方向に係合凹部が形成され、該係合凹部には、上記レンチヘッド側から係止部材が係合されて両者の抜け止めが行われる構成であることを特徴としている。
【００１０】
請求項３記載の発明は、請求項１または２記載の発明に加えて、上記レンチヘッドにおける凹部に対応する外周部には、ネジ噛み合い部が設けられ、該ネジ噛み合い部にねじ込まれたネジの先端が上記トルクレンチ先端部の係合凹部に進入する構成であることを特徴としている。
【００１１】
請求項４記載の発明は、請求項１または２記載の発明に加えて、上記レンチヘッドにおける凹部に対応する外周部には、上記トルクレンチ先端部の係合凹部を外部に露呈可能なスリットが形成され、該スリット近傍には該スリットを通過して上記係合凹部に進入する方向に揺動付勢されている係止爪が設けられていることを特徴としている。
【００１２】
【作用】
請求項１および２記載の発明では、トルクレンチとこれの先端に装着されるレンチヘッドとは、トルクレンチ側に形成される周方向に凹部とこれに係合する係止部とによりレンチヘッドがトルクレンチの周方向に変位することができ、周方向の任意の位置で抜け止めが行われる。
【００１３】
請求項３記載の発明では、トルクレンチ側の凹部にレンチヘッド側からネジを挿通することによりトルクレンチの周方向でのレンチヘッドの位置決め、つまり、向きを設定することができる。
【００１４】
請求項４記載の発明では、トルクレンチ側に形成されている係合凹部に対して係合凹部に進入する付勢を有する係止爪を係合させることによりレンチヘッドの向きを設定することができる。
【００１５】
【発明の実施の形態】
以下、図面により本発明の実施の形態を説明する。
図１および図２は、トルクレンチの先端に装着されるレンチヘッドを示す図であり、図１には、パイプＰに対してトルクレンチ（図示されず）が水平方向に連結される構成が、そして図２には、パイプＰに対してトルクレンチが垂直方向に連結される構成がそれぞれ示されている。
図１および図２に示すレンチヘッド１、１’は、トルクレンチ２（図３参照）の本体をなすパイプの外径を挿入できる太さの円柱部１Ａをトルクレンチ２の先端側に有しており、円柱部１Ａの内部には、トルクレンチ２の先端が挿嵌できる深さを持つ凹部１Ａ１が軸方向に形成されている。
【００１６】
レンチヘッド１，１’は、円柱部１Ａと反対側にパイプＰの把持部３が設けられており、図１において把持部３は、レンチ本体に一体化されている不動把持部３Ａと不動把持部３Ａの近傍において不動把持部３Ａに対して接離可能な方向に摺動する可動把持部３Ｂとを備え、可動把持部３Ｂは、摺動部に形成されているネジ山部が不動把持部３Ａ側に設けられているナット部材３Ｃの内部に形成されたネジ（図示されず）に噛み合っており、ナット部材３Ｃの回転方向に応じて不動把持部３Ａに対して接離してパイプＰの口径に対応する位置決めが行われてパイプＰを挟み込むことができる。
【００１７】
図２における把持部３’は、図１に示したナット部材３に代えて、ウオーム４が用いられ、ウオーム４の歯に可動把持部３Ｂ’側に形成されたネジ山が噛み合う構成とされている。
【００１８】
図１および図２に示すレンチヘッド１，１’は、図３および図４に示す構成により挿嵌されたトルクレンチ２の先端部に対して係脱できる構成により連結される。
図３は、レンチヘッド（便宜上、符号１で示す）とトルクレンチ２との連結をレンチヘッド１側の締結により行う場合を示している。
図３において、トルクレンチ２の先端部には、周方向に沿って係合凹部２Ａが形成されており、図３に示す係合凹部２Ａは、周方向に沿って複数箇所に形成され窪みによって構成されている。
係合凹部２Ａに対向するレンチヘッド１には、係止部材としての蝶ネジ５が挿通できるネジ穴１Ａ２が形成されている。ネジ穴１Ａ２は、図１，図２に示すようにレンチヘッド１において１カ所に形成され、蝶ネジ５が挿通されて係合凹部２Ａに蝶ネジ５の先端が嵌合することでレンチヘッド１がトルクレンチ２の先端から抜けるのを防止される。
【００１９】
図４に示す構成では、トルクレンチ２の先端部に形成されている係合凹部（便宜上、符号２Ａ’で示す）が周溝で構成されている。
レンチヘッド１’には、トルクレンチ２側の係合凹部２Ａ’に対向する位置に軸方向に沿ったスリット１Ｂが形成されて係合凹部２Ａ’を外部に露呈させることができるようになっており、スリット１Ｂには、レンチヘッド１’に設けられている係止爪６の先端が進入できるようになっている。
係止爪６は、レンチヘッド１’により揺動可能に支持されており、係合凹部２Ａ’と対向する端部と反対側の揺動端とレンチヘッド１’のが異種壁との間に配置されているスプリングなどの弾性体７によって係合凹部２Ａ’に進入する揺動付勢が付与されている。
弾性体７が配置されている側の揺動端は係止爪６をその付勢に抗して係合凹部２Ａ’から離脱させる操作部として構成されている。
【００２０】
図３および図４に示したレンチヘッド１，１’とトルクレンチ２との連結構成により、図３に示した構成では、蝶ネジ５の先端を係合凹部２Ａから離脱させることにより、そして図４に示した構成では、係止爪６を係合凹部２Ａ’加羅離脱させることによりレンチヘッド１，１’をトルクレンチ２の周方向に回転させることができる。これにより、走査方向が決まっているトルクレンチ２に対してレンチヘッド１，１’の向きをパイプ（図示されず）の把持方向に整合させることができる。
【００２１】
上述したレンチヘッド１，１’が装填されるトルクレンチ２には、プリセット型などの可変トルク機構を備えた構成が用いられるが、その機能に加えて、詳細を図示しないが、例えば、レンチヘッド１，１’により把持されるパイプ（図示されず）の口径に応じた回転トルクをトルク値ではなく口径により表示できる構成とすることが、複数の口径を対象として一つのレンチヘッドを適用する場合に回転トルクを選択する際の利便性を向上させるうえで望ましい。
【００２２】
本実施形態は以上のような構成により、レンチヘッド１，１’が連結されるトルクレンチ２の先端構造は、レンチヘッ１，１’の型式に関係なく係合凹部２Ａ、２Ａ’を設けるだけで共通化することができる。
一方、把持対象となるパイプに対してレンチヘッド１，１’の差し入れ方向を自由に設定することができる。つまり、トルクレンチ２の操作方向が同じであっても、トルクレンチ２の軸線方向に対するレンチヘッド１，１’の把持方向を変更できるので、パイプレンチの使用箇所の形態、例えば、狭い場所においてトルクレンチ２の操作方向と同じ方向ではパイプの把持が行えない場合でもレンチヘッド１，１’をトルクレンチ２の周方向に回転させて把持できる態勢を採ることができる。従って、使用箇所の形態に合わせるように既存のレンチヘッドを複数準備するような手間が省け、さらにはトルクレンチ２の操作方向を変更するなどの作業手順の変更を要することなく、トルクレンチ２の操作方向とパイプの把持方向とが同じ場合と同様さ操作によりパイプの締め付けあるいはそれの解除ができる。
【００２３】
【発明の効果】
請求項１および２記載の発明によれば、トルクレンチとこれの先端に装着されるレンチヘッドとは、トルクレンチ側に形成される周方向に凹部とこれに係合する係止部とによりレンチヘッドがトルクレンチの周方向に変位することができ、周方向の任意の位置で抜け止めが行われる。これにより、トルクレンチに連結されるレンチヘッドの連結構造がレンチヘッドの型式に関係なく共通とすることができるので、トルクレンチ側での構造変更をなくしてコスト上昇を防止することができる。
しかも、トルクレンチの操作方向に対してレンチヘッドによりパイプを把持する向きが変更できるので、パイプを把持する箇所でのパイプレンチの装着方向が制約されていても、装着できる方向からレンチヘッドをパイプに差し込んで把持することができ、作業性を向上させることが可能となる。
【００２４】
請求項３および４記載の発明によれば、使用形態の異なるレンチヘッドを用いた場合において、トルクレンチの周方向でレンチヘッドの位置を位置決めする際には、ネジ締めあるいは係止爪の操作のみで済むので、特別なアダプタを用い留ことなく簡単な構成および操作により把持すべきパイプへの差し込み状態を設定して把持することができ、パイプにレンチヘッドを差し込む際の労力負担を低減することが可能となる。
【図面の簡単な説明】
【図１】
本発明の実施形態によるパイプレンチの主要部をなすレンチヘッドの一例を示す図である。
【図２】
本発明の実施形態によるパイプレンチの主要部をなすレンチヘッドの他の例を示す図である。
【図３】
図１および図２に示したレンチヘッドとトルクレンチとの連結構造の一つを示す図であり、（Ａ）は平面図、（Ｂ）は一部断面図である。
【図４】
図１および図２に示したレンチヘッドとトルクレンチとの連結構造の一つを示す図であり、（Ａ）は平面図、（Ｂ）は一部断面図である。
【符号の説明】
１、１’　　　レンチヘッド
１Ａ　　　　　凹部
１Ａ２　　　　ネジ穴
１Ｂ　　　　　スリット
２　　　　　　トルクレンチ
２Ａ、２Ａ’　係合凹部
３，３’　　　把持部
５　　　　　　蝶ネジ
６　　　　　　係止爪
【図１】
2004017246.tif 000003
【図２】
2004017246.tif 000004
【図３】
2004017246.tif 000005
【図４】
2004017246.tif 000006